(57)【要約】      （修正有）【課題】製造工程を簡略化できる構造を備えたスリッパを提供する。【解決手段】スリッパ底部２は、底板２１と上縁の底板縁取りテープ２３とを有し、底板縁取りテープ２３は全周に亘る第１の縫合線Ｓ１に沿って底板２１に縫合されており、スリッパ上部３は、中底被覆材３１を有し、甲部材３２の下縁は中底被覆材の周縁の前半部分に重ねられるとともに踵支持部材３３は中底被覆材の周縁の後半部分に重ねられ、全周に亘る第２の縫合線に沿って中底被覆材３１と甲部材３２と踵支持部材３３とが縫合されており、スリッパ底部２の内側面と、スリッパ上部３の外側面とが当接し、全周に亘る第３の縫合線Ｓ３に沿って、前半部分では底板２１と底板縁取りテープ２３と甲部材３２とが縫合され、後半部分では底板２１と底板縁取りテープ２３と踵支持部材３３とが縫合されている。【選択図】図８
0003191213.tif 000002
【実用新案登録請求の範囲】
【請求項１】
スリッパ底部（2）とスリッパ上部（3）の周縁同士を縫合した構造を備えたスリッパ（1）において、
前記スリッパ底部（2）は、起立した側壁（21a）を具備し上方に開いた容器状の底板（21）と、前記側壁（21a）の上縁（21b）の全周上に被せられた底板縁取りテープ（23）とを有し、かつ前記底板縁取りテープ（23）は前記上縁（21b）の全周に亘る第１の縫合線（S1）に沿って前記底板（21）に縫合されており、
前記スリッパ上部（3）は、中底被覆材（31）と甲部材（32）と踵支持部材（33）とを有し、かつ前記甲部材（32）の下縁は前記中底被覆材（31）の周縁（31a）の前半部分に重ねられるとともに前記踵支持部材（33）は前記中底被覆材（31）の周縁（31a）の後半部分に重ねられ、前記周縁（31a）の全周に亘る第２の縫合線（S2）に沿って前記中底被覆材（31）と前記甲部材（32）と前記踵支持部材（33）とが縫合されており、
前記スリッパ底部（2）の前記底板縁取りテープ（23）の内側面と、前記スリッパ上部（3）の前記周縁（31a）を下方に折り曲げた外側面とが当接し、前記周縁（31a）の全周に亘る第３の縫合線（S3）に沿って、前半部分では前記底板（21）と前記底板縁取りテープ（23）と前記甲部材（32）とが縫合され、後半部分では前記底板（21）と前記底板縁取りテープ（23）と前記踵支持部材（33）とが縫合されていることを特徴とする
スリッパ。
【考案の詳細な説明】
【技術分野】
【０００１】
本考案は、製造工程を簡略化できるスリッパの構造に関するものである。
【背景技術】
【０００２】
縫製によるスリッパの製造工程においては、一般的に、底板を含むスリッパ底部と、甲部を含むスリッパ上部の２部分を縫合により接合して完成体とする方法がとられている。例えば、特許文献１、２等がある。
【０００３】
本考案が改良しようとする従来のスリッパの製造工程を説明する。
図１及び図２は、従来のスリッパの構成要素のうちスリッパ底部を概略的に示した図であり、図１（ａ）は、スリッパ底部の底板部分の平面図、（ｂ）は底板部分の側面図である。図２（ａ）は、底板縁取りテープの斜視図、（ｂ）は底板縁取りテープを縫合したスリッパ底部の平面図、（ｃ）は底板縁取りテープを縫合したスリッパ底部の側面図である。
（なお、スリッパ底部の構造は、従来例も本考案も共通するので、図１及び図２は、後述する本考案のスリッパの図面の一部でもある。）
【０００４】
図１（ａ）（ｂ）に示すように、底板２１は、略平坦な面と、平坦な面の周囲から起立した側壁２１ａを備えた上方に開いた容器状の形状を有する。なお、図示を簡略とするために、底面２１を単層部材として示すが、実際には、樹脂成型等により形成した芯材に布等を被覆した積層部材であってもよい。底板２１の踵にあたる部分には適宜の形状及び大きさのクッション材２２が接着等により取り付けられる。
【０００５】
図２（ａ）に示す底板縁取りテープ２３は、２つ折りで用いられるテープである。底板縁取りテープ２３の材質は、例えば布製であるが限定しない。底板縁取りテープ２３は、図１（ｂ）に示した底板２１の側壁２１ａの上縁２１ｂの全周上に、図２（ｂ）のように被せられる。すなわち、底板縁取りテープ２３は、底板２１の内側と外側に跨るように取り付けられる。そして、図２（ｃ）に示すように、底板縁取りテープ２３の端からやや内側の位置において、底板２１の上縁２１ｂの全周に亘る縫合線Ｓ１（太い点線で示す）に沿って、底板縁取りテープ２３が底板２１に縫合される。ここで「縫合線」とは、上糸と下糸からなるミシンの縫い目の線のことをいう。すなわち、縫合線上で２つの部材は縫合されている。
【０００６】
従来の製造工程では、図１１に示すようにスリッパ上部１０３を作製する。図１１（ａ）はスリッパ上部１０３の平面図、（ｂ）は側面図である。スリッパ上部１０３は、中底被覆材１３１と、甲部材１３２とを有する。なお、図示を簡略とするために、中底被覆材１３１及び甲部材１３２をそれぞれ単層部材として示すが、実際には、樹脂層や布層を複数重ねた積層部材であってもよい。甲部材１３２の下縁は、中底被覆材１３１の周縁の前半部分と適宜縫合される（詳細は省略）。中底被覆材１３１の周縁の後半部分は、２つ折りで用いられる中底被覆材縁取りテープ１３３を被せられ、縫合線Ｓ１２に沿って、中底被覆材縁取りテープ１３３が中底被覆材１３１に縫合される。
【０００７】
次に、従来の製造工程では、図１２に示すようにスリッパ底部２と、スリッパ上部１０３を縫合する。図１２（ａ）は、スリッパ底部、スリッパ上部、及びこれらの間に挟み込む中板の縫合前の状態を模式的に示す展開図であり、（ｂ）前半部分をミシン縫いにより縫合した状態を示す側面図であり、（ｃ）は後方部分を手縫いにより縫合した状態を示す完成体の側面図である。
【０００８】
中板４１は、芯材又はクッション材としての役割を果たす部材である。なお、図示を簡略とするために、中板４１を単層部材として示すが、実際には、複数の樹脂層を組合せて重ねた積層部材であってもよい。中板４１は、底板２１の凹部内に収容され、接着等により取り付けられる。
【０００９】
図１２（ｂ）に示すように、スリッパ底部２の底板縁取りテープ２３の前半部分を、スリッパ上部１０３の甲部材１３２の下縁の部分の外側に重ね、スリッパ１００の前半部分を縫合線Ｓ１３に沿って縫合する。縫合線Ｓ１３の末端Ｅは、ほぼ甲部材１３２の後端部に位置する。この時点では、中底被覆材１３１及び中底被覆材縁取りテープ１３３は、未だスリッパ底部２から分離されている。
【００１０】
続いて図１２（ｃ）に示すように、スリッパ底部２の底板縁取りテープ２３の後半部分と、スリッパ上部１０３の中底被覆材縁取りテープ１３３とを、手縫いＳ１４により縫合する。このようにして、スリッパ１００が完成体となる。
【先行技術文献】
【特許文献】
【００１１】
【特許文献１】登録実用新案第３１７７５８４号公報
【特許文献２】特許第４７２１９８３号公報
【考案の概要】
【考案が解決しようとする課題】
【００１２】
上記の従来の製造工程では、図１２（ｂ）でスリッパの前半部分をミシン縫いし、図１２（ｃ）でスリッパの後半部分を手縫いするという２つの工程でスリッパ底部とスリッパ上部を接合している。これは、作業の手間と時間を要するためコスト高となる。特に、手縫いの工程は、量産化を困難とするので問題である。
【００１３】
本考案は、上記の製造工程の問題を解消し、生産性を向上させ低コスト及び量産化を可能とする構造を有するスリッパを提供することを目的とする。
【課題を解決するための手段】
【００１４】
上記の目的を達成するために、本考案は以下の構成を提供する。なお、括弧内の数字は、後述する実施例を示した図面中の符号であり、参考のために付するものである。
【００１５】
本考案の態様は、スリッパ底部（2）とスリッパ上部（3）の周縁同士を縫合した構造を備えたスリッパ（1）において、
前記スリッパ底部（2）は、起立した側壁（21a）を具備し上方に開いた容器状の底板（21）と、前記側壁（21a）の上縁（21b）の全周上に被せられた底板縁取りテープ（23）とを有し、かつ前記底板縁取りテープ（23）は前記上縁（21b）の全周に亘る第１の縫合線（S1）に沿って前記底板（21）に縫合されており、
前記スリッパ上部（3）は、中底被覆材（31）と甲部材（32）と踵支持部材（33）とを有し、かつ前記甲部材（32）の下縁は前記中底被覆材（31）の周縁（31a）の前半部分に重ねられるとともに前記踵支持部材（33）は前記中底被覆材（31）の周縁（31a）の後半部分に重ねられ、前記周縁（31a）の全周に亘る第２の縫合線（S2）に沿って前記中底被覆材（31）と前記甲部材（32）と前記踵支持部材（33）とが縫合されており、
前記スリッパ底部（2）の前記底板縁取りテープ（23）の内側面と、前記スリッパ上部（3）の前記周縁（31a）を下方に折り曲げた外側面とが当接し、前記周縁（31a）の全周に亘る第３の縫合線（S3）に沿って、前半部分では前記底板（21）と前記底板縁取りテープ（23）と前記甲部材（32）とが縫合され、後半部分では前記底板（21）と前記底板縁取りテープ（23）と前記踵支持部材（33）とが縫合されていることを特徴とする。
【考案の効果】
【００１６】
本考案に係るスリッパは、スリッパ上部とスリッパ底部とが、１本の縫合線に沿って縫合されているので、従来の部分的ミシン縫いと部分的手縫いによる縫合と異なり、１回のミシン縫いで縫合されるので製造工程を簡略化できる。この結果、生産性がよくなり、低コストを実現でき、量産化も容易となる。
【図面の簡単な説明】
【００１７】
【図１】図１（ａ）は、スリッパ底部の底板部分の平面図、（ｂ）は底板部分の側面図である。
【図２】図２（ａ）は、底板縁取りテープの斜視図、（ｂ）は底板縁取りテープを縫合したスリッパ底部の平面図、（ｃ）は底板縁取りテープを縫合したスリッパ底部の側面図である。
【図３】図３は、本考案のスリッパ上部の製造工程を示す図であり、（ａ）は平面図、（ｂ）は底面図である。
【図４】図４（ａ）、（ｂ）、（ｃ）はそれぞれ、図３のＡ−Ａ断面、Ｂ−Ｂ断面、Ｃ−Ｃ断面を概略的かつ模式的に示した図である。
【図５】図５は、図２に示したスリッパ底部と図３及び図４に示したスリッパ上部とを縫合する製造工程における、縫合前のスリッパ底部、スリッパ上部及びこれらの間に挟み込む中板の状態を模式的に示す展開図である。
【図６】図６は、図５のＤ−Ｄ断面を概略的に示した図である。
【図７】図７は、図５のＥ−Ｅ断面を概略的に示した図である。
【図８】図８は、図２に示したスリッパ底部と図３及び図４に示したスリッパ上部の縫合後のスリッパの（ａ）は平面図、（ｂ）は側面図である。
【図９】図９は、図８のＦ−Ｆ断面を概略的に示した図である。
【図１０】図１０は、図８のＧ−Ｇ断面を概略的に示した図である。
【図１１】図１１（ａ）は、従来の製造工程によるスリッパ上部の平面図、（ｂ）は側面図である。
【図１２】図１２（ａ）は、従来の製造工程によるスリッパ底部、スリッパ上部、及びこれらの間に挟み込む中板の縫合前の状態を模式的に示す展開図であり、（ｂ）前半部分をミシン縫いにより縫合した状態を示す側面図であり、（ｃ）は後方部分を手縫いにより縫合した状態を示す完成体の側面図である。
【考案を実施するための形態】
【００１８】
以下、図面を参照して本考案の実施の形態を説明する。
本考案のスリッパは、先ず、スリッパ底部とスリッパ上部の２つの部分を作製し、これらの周縁同士を縫合した構造を備えている。以下、本考案のスリッパの製造工程を説明することにより、本考案のスリッパの構造を説明する。
【００１９】
スリッパ底部は、上述した図１及び図２に示したものと同じ構成を有する。図１（ａ）は、スリッパ底部の底板部分の平面図、（ｂ）は底板部分の側面図である。図２（ａ）は、底板縁取りテープの斜視図、（ｂ）は底板縁取りテープを縫合したスリッパ底部の平面図、（ｃ）は底板縁取りテープを縫合したスリッパ底部の側面図である。
【００２０】
図１（ａ）（ｂ）に示すように、底板２１は、略平坦な面と、平坦な面の周囲から起立した側壁２１ａを備えた上方に開いた容器状の形状を有する。なお、図示を簡略とするために、底面２１を単層部材として示すが、実際には、樹脂成型等により形成した芯材に布等を被覆した積層部材であってもよい。底板２１の踵にあたる部分には適宜の形状及び大きさのクッション材２２が接着等により取り付けられる。
【００２１】
図２（ａ）に示す底板縁取りテープ２３は、２つ折りで用いられるテープである。底板縁取りテープ２３の材質は、例えば布製であるが限定しない。底板縁取りテープ２３は、図１（ｂ）に示した底板２１の側壁２１ａの上縁２１ｂの全周上に、図２（ｂ）のように被せられる。すなわち、底板縁取りテープ２３は、底板２１の内側と外側に跨るように取り付けられる。そして、図２（ｃ）に示すように、底板縁取りテープ２３の端からやや内側の位置において、底板２１の上縁２１ｂの全周に亘る縫合線Ｓ１（太い点線で示す）に沿ってミシン縫いを行い、底板縁取りテープ２３が底板２１に縫合される。ここで「縫合線」とは、上糸と下糸からなるミシンの縫い目の線のことをいう。すなわち、縫合線上で２つの部材は縫合されている。
【００２２】
図３は、本考案のスリッパ上部の製造工程を示す図であり、（ａ）は平面図、（ｂ）は底面図である。図４（ａ）、（ｂ）、（ｃ）はそれぞれ、図３のＡ−Ａ断面、Ｂ−Ｂ断面、Ｃ−Ｃ断面を概略的かつ模式的に示した図である。
【００２３】
スリッパ上部３は、中底被覆材３１と、甲部材３２と、踵支持部材３３とを有する。なお、図示を簡略とするために、これらの部材をそれぞれ単層部材として示すが、実際には、樹脂層や布層を複数重ねた積層部材であってもよい。なお、図中の塗り潰し模様は、主として各部材を区別するために付している（以下の図においても同様）。
【００２４】
図３（ａ）の平面図に示される中底被覆材３１の表面は、使用者がスリッパを履いたときに足裏と接触する面である。中底被覆材３１の周縁３１ａの後半部分には、踵支持部材３３が重ねられ、中底被覆材３１の周縁３１ａの前半部分には、甲部材３２の下縁が重ねられる。踵支持部材３３は、図４（ｃ）に示すように２つ折りにされた部材であり、折り山が内方に向くように中底被覆材３１の踵部分の周縁に沿って取り付けられる。図３（ａ）に示すように、踵支持部材３３は、踵部分では一定の幅（例えば２０mm程度）を有し、前方に向いた両端部はその幅が漸次狭くなっている。また、図４（ｂ）に示すように、中底被覆材３１の中央近傍では、甲部材３２と中底被覆材３１の間に２つ折りの踵支持部材３３が挟み込まれて重ねられる。
【００２５】
このように中底被覆材３１と、甲部材３２と、踵支持部材３３とを重ねた後、周縁３１ａのやや内側の位置にて全周に亘る第２の縫合線Ｓ２に沿ってミシン縫いを行い、縫合する。
【００２６】
ここで、本明細書での「前半部分」及び「後半部分」の用語は、スリッパの長さを等分に分けた半分を意味するものではなく、甲部材が存在する部分を前半部分と称し、甲部材より後方の部分を後方部分と称している。
【００２７】
図５は、図２に示したスリッパ底部２と図３及び図４に示したスリッパ上部３とを縫合する製造工程における、縫合前のスリッパ底部２、スリッパ上部３、及びこれらの間に挟み込む中板４１の状態を模式的に示す展開図である。また、図６は図５のＤ−Ｄ断面を、図７は図５のＥ−Ｅ断面を概略的に示した図である。
【００２８】
中板４１は、芯材又はクッション材としての役割を果たす部材である。なお、図示を簡略とするために、中板４１を単層部材として示すが、実際には、複数の樹脂層を組合せて重ねた積層部材であってもよい。中板４１の厚さ（部分的に厚さが異なっていてもよい）及び形状も必要に応じて適宜設計される。中板４１は、容器状の底板２１の凹部内に収容され、接着等により取り付けられる。中板４１は、スリッパ底部２とスリッパ上部３により挟まれた際に適宜変形自在であるような弾性を備えることが好ましい。
【００２９】
図６及び図７の断面図に示すように、スリッパ上部３をスリッパ底部２と縫合する準備として、図３の状態のスリッパ上部３の周縁部分を、下方に向くように適宜折り曲げる（矢印αを参照）。これにより、図７に示すスリッパ上部３の後半部分では、踵支持部材３３が起立し、中底被覆材３１の踵部分の周縁から上方に延びる所定の高さの壁を形成する。
【００３０】
続いて、スリッパ上部３をスリッパ底部２の凹部の内側に入れるようにする（矢印βを参照）。このとき、中板４１を、スリッパ上部３とスリッパ底部２の間に挟む。
【００３１】
図６に示すスリッパの前半部分では、下方に折り曲げたスリッパ上部３の周縁部分の外側面（甲部材３２の表面）３２ｘと、底板縁取りテープ２３の内側面２３ｘ とを当接させる。
【００３２】
一方、図７に示すスリッパの後半部分では、下方に折り曲げたスリッパ上部３の周縁部分の外側面（踵支持部材の表面）３３ｘと、底板縁取りテープ２３の内側面２３ｘ とを当接させる。その後、スリッパ底部２とスリッパ上部３を縫合するためのミシン縫いを行う。
【００３３】
図８は、図２に示したスリッパ底部２と図３に示したスリッパ上部３の縫合後のスリッパの（ａ）は平面図、（ｂ）は側面図である。また、図９は図８のＦ−Ｆ断面を、図１０は図８のＧ−Ｇ断面を概略的に示した図である。
【００３４】
図８（ｂ）に示すように、スリッパ底部２とスリッパ上部３の縫合は、底板縁取りテープ２３の全周に亘る第３の縫合線Ｓ３に沿って行われる。
【００３５】
図９に示すスリッパの前半部分では、底板２１と、その上縁を覆う底板縁取りテープ２３と、甲部材３２とが、第３の縫合線Ｓ３にて縫合されている。
【００３６】
一方、図１０に示すスリッパの後半部分では、底板２１と、その上縁を覆う底板縁取りテープ２３と、踵支持部材３３とが、第３の縫合線Ｓ３にて縫合されている。
【００３７】
ここで、第３の縫合線Ｓ３における縫合は、前半部分においても後半部分においても、中板被覆材３１には及んでいない、つまり縫合していない。仮に中板被覆材３１も合わせて縫合しようとすると、中板被覆材３１の裏面側は封止される空間であるから、構造的に通常のミシン縫いができない。通常のミシン縫いをするには、上糸と下糸を繰り出す各空間が共に開放空間でなければならない、すなわち縫合箇所の表裏とも外部空間に面している必要がある。本考案のスリッパの構造は、スリッパ底部とスリッパ上部の最終的な縫合において中板被覆材３１を縫合しなくともよいため、縫合箇所は表裏とも外部空間に面しており、ミシン縫いができる。このことにより、全周に亘る第３の縫合線Ｓ３に沿った縫合が可能となる。
【００３８】
前述した従来技術とは異なり、第３の縫合線Ｓ３に沿った１回の縫合工程により、スリッパ底部２とスリッパ上部３の縫合が完了する。このように、手縫い工程を排除することにより、製造工程を簡略化することができる。
【符号の説明】
【００３９】
１  スリッパ
２  スリッパ底部
２１  底板
２２  踵部クッション材
２３  底板縁取りテープ
３  スリッパ上部
３１  中底被覆材
３２  甲部材
３３  踵支持部材
Ｓ１  底板縁取りテープ縫合線
Ｓ２  上部縁部縫合線
Ｓ３  底部上部接合縫合線
４１  中板
１００  スリッパ（従来）
１０３  スリッパ上部（従来）
１３１  中底被覆材（従来）
１３２  甲部材（従来）
１３３  中底被覆材縁取りテープ（従来）
【図１】
0003191213.tif 000003
【図２】
0003191213.tif 000004
【図３】
0003191213.tif 000005
【図４】
0003191213.tif 000006
【図５】
0003191213.tif 000007
【図６】
0003191213.tif 000008
【図７】
0003191213.tif 000009
【図８】
0003191213.tif 000010
【図９】
0003191213.tif 000011
【図１０】
0003191213.tif 000012
【図１１】
0003191213.tif 000013
【図１２】
0003191213.tif 000014